(57)【特許請求の範囲】
【請求項１】
撮像素子上に被写体を結像させ該撮像素子で画像信号を生成する撮影を行なう撮影装置において、
予め設定された複数種類のうちのいずれかの光源下での撮影に応じたホワイトバランス処理を実行するホワイトバランス処理部と、
撮影に先立って被写界の色温度を測定する色温度測定部と、
前記ホワイトバランス処理部でのホワイトバランス処理が可能な複数種類の光源下での複数の色温度に応じた複数種類の発光色の撮影補助光の発光が自在な発光部とを備え、
前記発光部は、前記複数種類の発光色の撮影補助光それぞれの発光を担う複数の発光素子を有し、撮影に際し、前記色温度測定部で測定された被写界の色温度に応じて、前記複数種類の発光素子のうちのいずれか一つの発光素子を発光させるものであることを特徴とする撮影装置。
【請求項２】
前記ホワイトバランス処理部は、晴天下、曇天下、タングステン光下、および蛍光灯下での撮影それぞれに応じたホワイトバランス処理を実行するものであり、
前記複数種類の発光素子は、それぞれ、晴天下、曇天下、タングステン光下、および蛍光灯下での色温度それぞれに応じた発光色の撮影補助光を発光する発光素子であることを特徴とする請求項１記載の撮影装置。
【請求項３】
前記色温度測定部は、前記撮像素子上に結像される被写界全域の平均的な色温度を測定するものであることを特徴とする請求項１記載の撮影装置。
【請求項４】
前記色温度測定部は、前記撮像素子上に結像される被写界のうち、該撮像素子の中央領域に結像される被写界の色温度を測定するものであることを特徴とする請求項１記載の撮影装置。
【請求項５】
前記色温度測定部は、前記撮像素子上に結像される被写界全域を複数の領域に分割したときの各分割領域ごとの色温度を測定して、各分割領域を該各分割領域の色温度に基づいて前記ホワイトバランス処理部でのホワイトバランス処理が可能な色温度に対応づけたときに、最大数の分割領域が対応づけられた色温度をもって該被写界の色温度とするものであることを特徴とする請求項１記載の撮影装置。
【発明の詳細な説明】
【技術分野】
【０００１】
本発明は、撮像素子を備え、その撮像素子上に被写体像を形成して画像信号を生成する撮影装置に関する。
【背景技術】
【０００２】
撮影装置には撮影に同期して被写体に向けて撮影補助光を発光する発光部を備えたものが多く、その発光部には遠くの被写体にまで撮影補助光を到達させることができるようにキセノン管などの発光管が配備されることが多い。このキセノン管は、太陽光とほぼ同じ色温度に応じた色で撮影補助光を発光することができる発光管として良く知られている。このキセノン管から撮影補助光を発光させて撮影を行なうと実際に自分の眼で見た色合いとほぼ同じ色味を持つ画像が得られる。
【０００３】
しかしながら、曇天である場合にはたとえ室外であっても撮影補助光を伴う撮影により得た画像の色味が少々現実の被写体の色味とは異なるように感じられることがある。このような傾向は、白熱ランプや蛍光灯が照明となって撮影が行なわれる室内撮影においてはなおさら顕著に現われる。
【０００４】
例えば照明側の光源が白熱ランプ（タングステン光）であった場合には、照明光の色がキセノン管から発光された撮影補助光の色温度よりも低い色温度の発光色（赤味がかった白色）になるため、撮影補助光を伴う撮影により得た画像の色味が、白熱ランプ下にある被写体を実際に眼で見たときの色味とは異なるものになってしまう。
【０００５】
通常デジタルカメラにはホワイトバランス回路というものが配備されていてそのホワイトバランス回路により撮像素子が持つ各受光素子で受光した光を用いてホワイトバランスの調整が行なわれているので、このホワイトバランスを用いることで上記撮影補助光の色温度と照明光の色温度との違いを解消することができれば何も問題はない。
【０００６】
しかしホワイトバランスは、晴天下、曇天下、タングステン光下、蛍光灯下など複数種類のホワイトバランスしか持っておらず、例えば自動モードであってもそれら複数種類のホワイトバランスのうちのいずれか一つ（被写体の色温度が近いもの）が選択され撮影補助光発光前の被写体の色温度に近い色温度に応じたホワイトバランス処理が行なわれるだけである。そうすると、撮影補助光発光前の白熱ランプの色温度に応じたホワイトバランス処理が行なわれるようになっているところに異なる色温度を持つ撮影補助光が発光されて撮影が行なわれることになってしまうため、撮影により得た画像の色味が白熱ランプ下にある被写体を実際に眼で見たときの色味とは異なるものになってしまう。
【０００７】
ところで青色発光ダイオードの開発により発光ダイオード（以下、ＬＥＤという）により白色も発光することができるようになってきたため、撮影補助光を発光する発光素子としてＬＥＤを用いようとする動きが出てきている。このＬＥＤを用いようとする動きの中の一つに近接撮影を行なうときにＬＥＤを使って被写体を照明する技術が提案されている（例えば特許文献１参照）。この特許文献１の技術を用いると被写体の色温度に応じた発光色の撮影補助光を自在に発光させることができる。
【特許文献１】特開２００３−２３３１０９号公報
【発明の開示】
【発明が解決しようとする課題】
【０００８】
本発明は、上記事情に鑑み、ホワイトバランスに応じた撮影補助光の発光が行なわれる発光部を備えた撮影装置を提供することを目的とする。
【課題を解決するための手段】
【０００９】
上記目的を達成する本発明の撮影装置は、撮像素子上に被写体を結像させ該撮像素子で画像信号を生成する撮影を行なう撮影装置において、
予め設定された複数種類のうちのいずれかの光源下での撮影に応じたホワイトバランス処理を実行するホワイトバランス処理部と、
撮影に先立って被写界の色温度を測定する色温度測定部と、
上記ホワイトバランス処理部でのホワイトバランス処理が可能な複数種類の光源下での複数の色温度に応じた複数種類の発光色の撮影補助光の発光が自在な発光部とを備え、
上記発光部は、上記複数種類の発光色の撮影補助光それぞれの発光を担う複数の発光素子を有し、撮影に際し、上記色温度測定部で測定された被写界の色温度に応じて、上記複数種類の発光素子のうちのいずれか一つの発光素子を発光させるものであることを特徴とする。
【００１０】
上記本発明の撮影装置によれば、上記色温度測定部で測定された被写界の色温度に応じて、上記複数種類の発光素子のうちのいずれか一つの発光素子が発光され上記ホワイトバランス処理部でその撮影補助光の発光色に対応する色温度に応じたホワイトバランス処理が行なわれる。
また、このようにいずれか１つの発光素子を発光させるようにすると、上記色温度検出部の検出結果に応じて上記複数の発光素子のうちのいずれかをオンオフさせれば良くなるので、複数の発光素子それぞれを駆動する駆動部の構成が簡略化される。さらにこのような態様にすると、前述の白色を発光する発光ダイオードを利用して上記発光部を構成することもできる。
【００１１】
このように撮影補助光の発光色がホワイトバランス処理部に予め設定された複数種類のうちのいずれかの光源下での撮影に応じたものになると、いつでも好適なホワイトバランス処理が行なわれるようになる。
【００１２】
以上説明したようにホワイトバランスに応じた撮影補助光の発光が行なわれる発光部を備えた撮影装置が実現する。
【００１３】
ここで、上記ホワイトバランス処理部は、晴天下、曇天下、タングステン光下、および蛍光灯下での撮影それぞれに応じたホワイトバランス処理を実行するものであり、
上記複数種類の発光素子は、それぞれ、晴天下、曇天下、タングステン光下、および蛍光灯下での色温度それぞれに応じた発光色の撮影補助光を発光する発光素子であると良い。
【００１４】
前述したように従来の撮影装置においては、上記晴天下、上記曇天下、上記タングステン光下、上記蛍光灯下等の何種類かのホワイトバランスしかもっていないことが多い。
【００１５】
このようなことを考えると、上記発光部にそのホワイトバランスの種類の数と同数の発光色の撮影補助光の発光を行なわせることができれば、好適なホワイトバランス処理が行なわれるようになる。
【００２２】
また、上記色温度測定部は、上記撮像素子上に結像される被写界全域の平均的な色温度を測定するものであることが好ましい。
【００２３】
撮影が行われるときには、被写体が上記晴天下、上記曇天下、上記タングステン光、上記蛍光灯の色温度以外の色温度の光により照明されていたり、上記４種類のうちの少なくとも２種類の色温度の光により照明されていたりしていることもある。このように色温度の異なる照明光が混在しているような撮影環境においては、上記撮像素子上に結像される被写界全域の平均的な色温度を測定するようにしておくと、４つのうちのいずれか近い色温度に応じた発光色の撮影補助光が発光されて好適なホワイトバランス処理が行なわれるようになる。
【００２４】
また、上記色温度測定部は、上記撮像素子上に結像される被写界のうち、その撮像素子の中央領域に結像される被写界の色温度を測定するものであっても良い。
【００２５】
一般に撮影装置を用いて撮影を行なう場合には、ピントが撮影画面の中央に設定されて撮影が行なわれることが多い。そこで上記撮像素子の中央領域に結像される被写界の色温度を基に撮影補助光の発光色を選択するようにしておくと、ピント領域の色温度に応じた発光色の撮影補助光が発光されて好適なホワイトバランス処理が行なわれるようになる。
【００２６】
また、上記色温度測定部は、上記撮像素子上に結像される被写界全域を複数の領域に分割したときの各分割領域ごとの色温度を測定して、各分割領域をその各分割領域の色温度に基づいて上記ホワイトバランス処理部でのホワイトバランス処理が可能な色温度に対応づけたときに、最大数の分割領域が対応づけられた色温度をもってその被写界の色温度とするものであっても良い。
【発明の効果】
【００２７】
以上、説明したように本発明によれば、ホワイトバランスに応じた撮影補助光の発光が行なわれる発光部を備えた撮影装置が実現する。
【発明を実施するための最良の形態】
【００２８】
以下、本発明の実施の形態について説明する。
【００２９】
図１は本発明の一実施形態であるデジタルカメラ１の外観を示す図である。
【００３０】
図１に示すデジタルカメラ１の正面中央にはレンズ鏡胴１００が備えられている。そのレンズ鏡胴１００内に撮影レンズ１０２１が内蔵されている。またそのレンズ鏡胴１００の上方にはファインダ１０１が備えられており、そのファインダ１０１の横には発光窓１０２が備えられている。この発光窓１０２からは、後述するシステム制御回路によって撮影補助光の照射が必要であると判定された場合に被写体に向けて撮影補助光が照射されるようになっている。
【００３１】
またカメラボディの上面部にはシャッタボタン１０４やモードダイヤル１０５、さらに単写／連写切替スイッチ１０６が備えられている。
【００３２】
図２は図１のデジタルカメラ１の内部の構成を示す構成ブロック図である。また、図３は、図２に示す３つの発光ダイオードの配列を示す図である。
【００３３】
図２を参照してデジタルカメラ１内部の構成を説明する。
【００３４】
本実施形態のデジタルカメラ１ではすべての処理がシステム制御回路１１０によって制御されている。このシステム制御回路１１０の入力部には図１に示したシャッタボタン１０４、モードダイヤル１０５，単写／連写切替スイッチ１０６等の操作子が接続されていてそれらの操作子のうちの少なくともいずれかの操作により操作信号がこのシステム制御回路１１０に供給されてくると、それらの操作子の操作に応じた処理が開始されるようになっている。
【００３５】
また図１には示していないが、本実施形態のデジタルカメラ１は、着脱自在な記憶媒体２００ここではメモリカードが媒体装填室１００Ａに装着されてその媒体装填室１００Ａに装填されたメモリカード２００に撮影画像を表わす画像データが記録されるようになっているので、記憶媒体であるメモリカード２００が媒体装填室１００Ａ内に装着されているかどうかを検知するための記憶媒体着脱検知手段１０８が備えられている。さらに図１には図示されていないが、背面側には画像表示ＯＮ／ＯＦＦスイッチ１０７や背面側に備えられている表示パネルの表面を保護するための防護用扉の開閉を検知する画像表示部開閉検知手段１０９も備えられている。これらの画像表示ＯＮ／ＯＦＦスイッチ１０７や記憶媒体着脱検知手段１０８や画像表示部開閉検知手段１０９それぞれからの信号もシステム制御回路１１０に供給されるようになっていてシステム制御回路１１０はそれらの信号を受けて処理を実行するようにもなっている。
【００３６】
またシステム制御回路１１０は、不図示のズームスイッチの操作に応じてズーム制御手段１０２０に指示して撮影レンズ１０２１の中のズームレンズを移動させたり、ＴＴＬ測距により得た測距結果に応じて測距制御手段１０３０に指示して撮影レンズ１０２１の中のフォーカスレンズを移動させたりもしている。
【００３７】
またシステム制御回路１１０では、ＣＣＤ固体撮像素子１２０で生成された画像信号に基づいて上記ＴＴＬ測距とともにＴＴＬ測光が行なわれている。また、本実施形態のデジタルカメラ１においては、ＣＣＤ固体撮像素子１２０で生成された画像データが画像処理回路１４０を経由して色温度測定回路１４０に供給され色温度測定回路１４１で色温度の測定が行なわれている。この色温度の測定結果に基づいてホワイトバランス処理部が備える各色アンプのゲイン設定などが行なわれて好適なホワイトバランス調整がシステム制御回路内のホワイトバランス処理部で行なわれる。
【００３８】
また、上記ＴＴＬ測光による測光値に応じてシステム制御回路１１０は、露光制御手段１０４０に指示してその露光制御手段に絞り１０４１の開口を調節させたり、さらに撮影時においては測光結果を基に撮影補助光の発光を行なわせる必要があるかどうかの判定を行っている。この測光結果に応じて撮影補助光の発光を行なわせる必要があるとシステム制御回路１１０によって判定されたときには、色温度測定回路１４１からの色温度データ（Ｒ光：Ｇ光：Ｂ光の割合を表わす比率）に応じて発光量制御手段１１２に指示してＬＥＤ駆動回路１１３に赤色光を発光するＬＥＤ１１４ｒ，緑色光を発光するＬＥＤ１１４ｇ，青色光を発光するＬＥＤ１１４ｂそれぞれを駆動させることによって、撮影補助光を被写体に向けて照射させるようにしている。
【００３９】
本実施形態においては図３に示す３つのＬＥＤ１１４ｒ，１１４ｇ，１１４ｂそれぞれの発光強度の組合せにより晴天下、タングステン光、蛍光灯、曇天下での色温度それぞれに応じた発光色の撮影補助光を発光させるようにしている。
【００４０】
ここで、このような４通りの色温度に応じた発光色で撮影補助光を発光させる発光部１１を備えたデジタルカメラ１の動作概要を説明する。
【００４１】
本実施形態においては、デジタルカメラ１の電源スイッチが投入されると、不揮発性メモリ１１０１内の全体処理プログラムの手順にしたがってシステム制御回路１１０によりこのデジタルカメラ１全体の動作が統括的に制御され撮影処理が開始される。この例では電池の消費電力を抑制するためにデジタルカメラ１の電源スイッチ（不図示）が投入されシステム制御回路１１０（システム制御回路１１０には電池からの電力が常に供給されている）により電源スイッチが投入されたことが検知されたときに初めて電池Ｂｔから電源制御手段１１１ｂを介して各ブロックに電力が供給されるようになっている。
【００４２】
まず、このように各部に電力が供給されて動作状態になったデジタルカメラ１の撮影処理に係る処理部の構成および動作を、図２を参照して簡単に説明する。
【００４３】
図２に示すように、図１に示すレンズ鏡胴１００内にはフォーカスレンズやズームレンズといった撮影レンズ１０２１、さらに光量調節用の絞り１０４１などが配備されている。またこの例においてはレンズを保護するレンズバリア１０１１が配備されている例が示されており、電源スイッチが投入されるとそのレンズバリア１０１１が解放されて図１に示すように撮影レンズ１０２１が表面に露出する構成になっている。
【００４４】
この電源スイッチが投入されたときにモードダイヤル１０５が撮影側に切り替えられていた場合には、まず表面に露出した撮影レンズ１０２１を通ってＣＣＤ固体撮影素子１２０に結像された被写体像が、タイミング発生回路１２１からのタイミング信号に基づいて所定の間隔ごと（３３ｍｓごと）に間引かれて出力される。その出力されたスルー画を表わす画像信号（以下スルー画信号）がＡ／Ｄ変換回路１３０でアナログの画像信号からデジタルの画像信号に変換され、さらにデジタルの画像信号がメモリ制御部１１１ａの制御の基、画像処理回路１４０に導かれる。この画像処理回路１４０でＲＧＢのスルー画信号からＹＣ信号のスルー画信号に変換され、さらにメモリ制御部１１１ａの制御の基、画像表示メモリ１５１に導かれてスルー画信号がその画像表示メモリ１５１内に記憶されるようになっている。この画像表示メモリ１５１内に記憶された１フレーム分のスルー画信号がメモリ制御部１１１ａにより読み出されてＤ／Ａ変換回路１６０に導かれアナログのスルー画信号に変換されてから画像表示部１５０に供給される。この例では、画像表示部１５０に所定の間隔ごとに新しいスルー画信号を供給することができるようにするために画像表示メモリ１５１を設けて、その画像表示メモリ１５１に少なくとも２フレーム分のスルー画信号を記憶することにより表示タイミングをうまく調整することができるようにしている。
【００４５】
ここでスルー画信号の流れとともに各部の動作を詳細に説明していく。
【００４６】
システム制御回路１１０の制御の基、タイミング発生回路１２１からのタイミング信号（例えば３３ｍｓごと）に応じて、撮影レンズ１０２０でＣＣＤ固体撮像素子１２０上の受光面に結像させた被写体像を表わす画像信号をスルー画信号として後段のＡ／Ｄ変換回路１３０へと出力させる。このＡ／Ｄ変換回路１３０でアナログの画像信号からデジタルの画像信号に変換されたスルー画信号が、メモリ制御部１１１ａの制御の基、画像処理回路１４０に導かれる。この画像処理回路１４０によってＲ色、Ｇ色、Ｂ色の各信号に分離されて色温度測定回路１４１に供給されたり、それらのＲ、Ｇ、Ｂの各色信号が色変換行列により表示用のＹＣ信号に変換されて後段の画像表示メモリ１５１に供給されたりする。Ｒ，Ｇ，Ｂの各色信号の方は後段の色温度測定回路１４１に供給されてこの色温度測定回路１４１により色温度の測定が行なわれたらシステム制御回路内部のホワイトバランス処理部を構成する各色アンプにその測定された色温度に応じたゲインがそれぞれ設定され画像信号のホワイトバランス調整が行なわれる。このシステム制御回路１１０内でホワイトバランス調整が行なわれるときには、前述したように晴天下、曇天下、タングステン光下、蛍光灯下のうちのいずれか最も近い色温度になるように各色アンプのゲインが設定されてホワイトバランス調整が行なわれるようになっている。
【００４７】
またＹＣ信号の方は、画像表示メモリ１５１に供給され、画像表示メモリ１５１に供給され記憶される。この画像表示メモリ１５１には少なくとも２フレーム分の画像信号が記憶されるようになっており、２フレーム分の画像信号のうち、古い時刻に記憶された１フレーム分の画像信号がＤ／Ａ変換部１６０に導かれアナログ信号に変換されて画像表示部１５０に供給されスルー画が表示画面上に表示される。
【００４８】
前述したようにシステム制御回路１１０ではＴＴＬ測距が行なわれその測距結果に基づいて測距制御手段１０３０に指示して常に合焦点にフォーカスレンズ（１０２１）を配置させるようにしたり、また不図示のズームスイッチが操作されたときにはズーム制御手段１０２０に指示してそのズームスイッチの操作によるズーム倍率に応じた位置にズームレンズ（１０２１）を配置させるようにもしている。
【００４９】
このようにして常にピントのあった、ズームスイッチの操作位置に応じたズーム倍率のスルー画が表示されているときにシャッタボタン１０４が押されたら撮影処理が開始される。
【００５０】
システム制御回路１１０は、シャッタボタン１０４が押されたタイミングでタイミング発生回路１２１に露光開始信号をＣＣＤ固体撮像素子１２０に向けて供給させる。このときにＴＴＬ測光の測光結果により撮影補助光の発光が必要であるとシステム制御回路１１０が判定した場合には発光量制御手段１１２に指示してシャッタボタン１０４の押下に同期してスルー画表示中に色温度測定回路１４１で検出した色温度に近い色になるように４通りの発光色のうちのいずれかの発光色を持つ撮影補助光を発光部１１に発光させる。
【００５１】
本実施形態においては、上記色温度測定回路１４１により測定された色温度がシステム制御回路１１０に供給され測定された色温度に応じて照明光が晴天下、曇天下、タングステン光、蛍光灯のうちのいずれに近い色温度を持っているかがシステム制御回路１１０によって判定されるようになっている。その判定結果に基づいてシステム制御回路１１０が、晴天下、曇天下、タングステン光、蛍光灯のうちのいずれかの光源下での撮影に応じたホワイトバランス処理を実行するように準備した後、そのホワイトバランス処理にあった撮影補助光を発光部１１に発光させるようにしている。
【００５２】
この発光部１１は、発光量制御手段１１２とＬＥＤ駆動回路１１３と３つの発光ダイオード１１４とを備えたものであって、それらの３つの発光ダイオード１１４ｒ，１１４ｇ，１１４ｂそれぞれは赤、緑、青のうちのいずれかの色を発するものである。前述したようにこれら３つの発光ダイオード１１４ｒ，１１４ｇ，１１４ｂによる発光強度の組合せ（ＬＥＤ駆動回路１１３により３つのダイオードそれぞれを駆動する電流値を調節する）により晴天下、曇天下、タングステン光、蛍光灯のうちのいずれかの色温度に応じた発光色の撮影補助光を発光させることができるようにしている。
【００５３】
こうしてシステム制御回路１１０内のホワイトバランス処理部によってホワイトバランス処理が好適に行なわれるような撮影補助光が発光されたら、システム制御回路１１０は、タイミング発生回路１２１に指示を出して露光終了信号をＣＣＤ固体撮像素子１２０に向けて供給させる。
【００５４】
そうするとその露光終了信号に同期してＣＣＤ固体撮像素子１２０からＡ／Ｄ変換回路１３０に画像信号が出力される。このＡ／Ｄ変換回路１３０でＣＣＤ固体撮像素子１２０から出力されたアナログの画像信号がデジタルの画像信号に変換され、さらにこのデジタルの画像信号がメモリ制御部１１１ａに制御されバスを経由してメモリ１８０に供給される。そのメモリ１８０にＣＣＤ固体撮像素子１２０が備えるすべての画素からなる画像信号がすべて記憶されたら、今度はシステム制御回路１１０の制御の基、その画像信号が読み出されてシステム制御回路１１０で前述のホワイトバランス調整やガンマ補正などが行なわれる。さらにホワイトバランスに応じた撮影補助光の発光により得た画像信号にホワイトバランス調整やガンマ補正が行なわれた後、画像信号がバスを介して画像処理回路１４０に供給されＹＣ信号への変換が行なわれる。さらにＹＣ信号からなる画像信号がバスを介して圧縮・伸張回路１９０に供給されＹＣ信号からなる画像信号が圧縮されて記憶媒体２００ここではメモリカードに記憶される。
【００５５】
このようにすると、撮影補助光の発光色をホワイトバランスに合わせることができるようになるので、好適なホワイトバランス調整がシステム制御回路１１０内で行なわれて被写界が持つ色温度に応じた色味を持つ画像データが確実に得られるようになる。
【００５６】
なお、カメラボディ側面部にあるコネクタ１１０５にケーブルを介してアンテナ１１０１が接続されると外部との間で無線通信が行なえる通信手段や、操作内容をユーザに伝える表示部１１０２やメモリ１０３なども配備されている。
【００５７】
図４は、システム制御回路１１０が行なう撮影補助光を伴う撮影処理の手順を示すフローチャートである。
【００５８】
図４には、赤、緑、青のうちのいずれかの色を発する３つのＬＥＤ１１４ｒ，１１４ｇ，１１４ｂによる発光強度の組合せにより晴天下、タングステン光、蛍光灯、曇天下での色温度に応じた発光色の撮影補助光を発光部１１に発光させるときの処理手順が示されている。
【００５９】
ステップＳ４０１で測光（ＡＥ）を行なう。次のステップＳ４０２へ進んでＴＴＬ測光による測光値に基づいて撮影補助光の発光が必要であるかどうかを判定する。
【００６０】
このステップＳ４０２で不必要であると判定した場合には、このフローの処理を終了し、必要であると判定した場合にはステップＳ４０３へ進む。ステップＳ４０３で色温度測定回路１４１からの色温度の測定結果に応じて環境照明が何であるかを判定する。ステップＳ４０３の色温度測定の測定結果から、晴天下ではあるが被写体領域がやや影になっていて撮影補助光の発光が必要であると判定したら、ステップＳ４０５へ進んで赤色（Ｒ），緑色（Ｇ），青色（Ｂ）の３つの発光ダイオード１１４ｒ，１１４ｇ，１１４ｂそれぞれの発光強度の組合せを発光パターン１にして発光させる。また、室内撮影であって環境照明がタングステン光であると判定したら、ステップＳ４０６へ進んで赤色（Ｒ），緑色（Ｇ），青色（Ｂ）の３つの発光ダイオード１１４ｒ，１１４ｇ，１１４ｂそれぞれの発光強度の組合せをパターン２にして撮影補助光を発光させる。また室内撮影であって環境照明が蛍光灯であると判定したら、ステップＳ４０７へ進んで赤色（Ｒ），緑色（Ｇ），青色（Ｂ）の３つの発光ダイオード１１４ｒ，１１４ｇ，１１４ｂそれぞれの発光強度の組合せをパターン３にして撮影補助光を発光させる。さらに室外などでの撮影であって曇天下の撮影であると判定したらステップＳ４０８へ進んで赤色（Ｒ），緑色（Ｇ），青色（Ｂ）の３つの発光ダイオード１１４ｒ，１１４ｇ，１１４ｂそれぞれの発光強度の組合せをパターン４にして撮影補助光を発光させてこのフローの処理を終了する。
【００６１】
このようにしておくと、ホワイトバランスにあう撮影補助光を発光させることにより好適なホワイトバランス処理が行なわれる撮影装置が実現する。
【００６２】
図５は、複数の照明光が混在した状態を説明する図である。
【００６３】
図５には、室内の電球２００の光を照明にして撮影を行なおうとしているときに、室外の電柱などに配備されている蛍光灯からの照明光が窓２０１から漏れこんできた状態が示されている。
【００６４】
このような場合には、電球２００からのタングステン光と蛍光灯（ハッチング部分）が混在した撮影環境下で撮影が行なわれることになる。
【００６５】
本実施形態の色温度測定回路１４１（図２参照）においては、ＣＣＤ固体撮像素子１２０上に結像される被写界全域が所定の数に分割され分割された各領域ごとに色温度の測定が行なわれている。もしも図５に示す環境下において撮影が行なわれるとすると、ハッチング部分の領域（高々２領域程度）が蛍光灯下での色温度になって他の多数の領域はほとんど電球（タングステン光）下での色温度になる。
【００６６】
このような場合には、色温度測定回路１４１が、ＣＣＤ固体撮像素子１２０上に結像される被写界全域を複数の領域に分割したときの各分割領域ごとの色温度を測定したことを受けて、システム制御回路１１０が、各分割領域の色温度に基づいてシステム制御回路１１０内のホワイトバランス処理部でのホワイトバランス処理が可能な色温度に対応づけたときに、最大数の分割領域が対応づけられた色温度をもって被写界の色温度とする処理を行なうものであると良い。
【００６７】
そうすると、例えば図５の例においてはシステム制御回路１１０が色温度測定回路１４１から領域ごとの色温度の測定値を受け取ってタングステン光の色温度に応じた発光色の撮影補助光を発光部１１（図２参照）に発光させた後、ＣＣＤ固体撮像素子１２０からの画像信号に対してシステム制御回路１１０内のホワイトバランス処理部でタングステン光の色温度に応じたホワイトバランス処理を行なうことができる。
【００６８】
このようにタングステン光下での色温度に応じたホワイトバランスが被写界全域に亘って行なわれるようになると、図５に示す被写体領域すべてがタングステン光下の色温度に応じた色に調整される。また図５に示すハッチングの領域についてはタングステン光下にいる室内の人が窓付近を見たときに感じられる蛍光灯の色温度に応じた色に調整され、室内にいる人が被写体側を見たときの色味が画像にそのまま再現される。
【００６９】
本実施形態においては、上記色温度測定回路１４１とシステム制御回路１１０とが本発明にいう色温度測定部にあたる。
【００７０】
また、通常中央にピントをあわせて撮影を行なうことを考えると、色温度測定回路１４１からの測定を受けて、システム制御回路１１０が、ＣＣＤ固体撮像素子１２０上に結像される被写界のうちの中央領域に結像される被写界の色温度（図５においては人物付近）を測定するものであっても良い。
【００７１】
このようにしても上記と同様に図５の例にあっては被写界全域に亘ってタングステン光の色温度に応じたホワイトバランス処理を行なうことができ、さらにシステム制御回路１１０が行なう色温度の処理に要する時間を短縮することができる。
【００７２】
さらに色温度測定回路１４１からの測定結果を受けてシステム制御回路１１０がＣＣＤ固体撮像素子１２０上に結像される被写界全域の平均的な色温度を算出するものであっても良い。
【００７３】
このようにしても、上記と同様に図５の例にあっては被写界全域に亘ってタングステン光の色温度に応じたホワイトバランス処理を行なうことができる。
【００７４】
また、上記においては、色温度測定回路１４１とシステム制御回路１１０とからなる本発明にいう色温度測定部が、平均的な色温度を算出するもの（構成例１）であっても、中央領域付近の色温度を検出するもの（構成例２）であっても、分割領域ごとに測定された各色温度のうち最大数の色温度を計数により特定するもの（構成例３）であっても良い旨の説明をしたが、色温度測定回路１４１とシステム制御回路１１０とからなる本発明にいう色温度測定部は、上記３つの構成をすべて備えたものであって被写体全域の色温度の分布に応じて上記３つの構成のうちのいずれか一つを選択して用いるものであっても良い。
【００７５】
以上説明したように、ホワイトバランスに応じた撮影補助光の発光が行なわれる発光部を備えた撮影装置が実現する。
【００７６】
図６〜図８は、変形例を説明する図である。
【００７７】
図６には撮影装置内部の構成が示されている。この図６に示した構成は、晴天下、曇天下、タングステン光下、および蛍光灯下での色温度それぞれに応じた発光色の撮影補助光の発光が自在な発光ダイオード１１４ａ〜１１４ｄを４つ設けて駆動回路内部の構成を変更した以外、図２の構成と同様である。図７には、それらのＬＥＤ１１４ａ〜１１４ｄの配列が示されている。
【００７８】
図２，図３に示す実施形態においては３つの発光ダイオード１１４ｒ，１１４ｇ，１１４ｂそれぞれによる発光強度の組合せにより４通りの発光色の撮影補助光を発光させるようにしていたが、図６、図７の例では４通りの発光色を持つ４つのＬＥＤ１１４ａ，１１１４ｂ，１１４ｃ，１１４ｄを設けて、晴天下、タングステン光、蛍光灯、曇天下の色温度に応じた発光色でそれぞれ発光させるようにしている。
【００７９】
このようにすると、図２，図３に示す構成のときのように３つのＬＥＤの発光強度をそれぞれ制御する必要がなくなり、４つのうちのいずれかのＬＥＤ１１４ａ，ｏｒ１１４ｂ、ｏｒ１１４ｃ、ｏｒ１１４ｄを発光させるだけで良くなるので図３に比べるとＬＥＤ駆動部１１３Ａの構成がかなり簡略化される。
【００８０】
図８は、図６に示すシステム制御回路１１０が行なう撮影補助光を伴う撮影処理の手順を示すフローチャートである。
【００８１】
図８には、晴天下、タングステン光、蛍光灯、曇天下の色温度に応じた発光色で発光する４つの発光ダイオード１１４ａ〜１１４ｄを備えた発光部１１に撮影補助光の発光を行なわせるときの処理手順が示されている。
【００８２】
ステップＳ８０１で測光（ＡＥ）を行なう。次のステップＳ８０２へ進んでＴＴＬ測光による測光値に基づいて撮影補助光の発光が必要であるかどうかを判定する。
【００８３】
このステップＳ８０２で不必要であると判定した場合には、このフローの処理を終了し、必要であると判定した場合にはステップＳ８０３へ進む。ステップＳ８０３で撮影環境の色温度を色温度測定回路１４１により測定し、環境照明が何であるかを判定する。ステップＳ８０３の色温度測定の測定結果から晴天下ではあるが被写体領域がやや影になっていて撮影補助光の発光が必要であると判定したら、ステップＳ８０５へ進んで発光ダイオード１１４ａを発光させる。また、室内撮影であって環境照明がタングステン光であると判定したら、ステップＳ８０６へ進んで発光ダイオード１１４ｂを発光させる。また室内撮影であって環境照明が蛍光灯であると判定したら、ステップＳ８０７へ進んで発光ダイオード１１４ｃを発光させる。さらに室外などでの撮影であって曇天下の撮影であると判定したらステップＳ８０８へ進んで発光ダイオード１１４ｄを発光させてこのフローの処理を終了する。
【００８４】
このような構成にしても、ホワイトバランスに応じた撮影補助光の発光が行なわれる発光部を備えた撮影装置が実現する。
【図面の簡単な説明】
【００８５】
【図１】本発明の一実施形態であるデジタルカメラ１の外観を示す図である。
【図２】図１のデジタルカメラ１の内部の構成を示す構成ブロック図である。
【図３】図２に示す３つの発光ダイオードの配列を示す図である。
【図４】システム制御回路１１０が行なう撮影補助光を伴う撮影処理の手順を示すフローチャートである。
【図５】複数の照明光が混在した状態を説明する図である。
【図６】変形例を説明する図である。
【図７】４つのＬＥＤ１１４ａ〜１１４ｄそれぞれの配列を示す図である。
【図８】図６に示すシステム制御回路１１０が行なう撮影補助光を伴う撮影処理の手順を示すフローチャートである。
【符号の説明】
【００８６】
１    デジタルカメラ
１００    レンズ鏡胴
１０１    ファインダ
１０２    発光窓
１０４    シャッタボタン
１０５    撮影モードダイヤル
１０６    単写／連写スイッチ
１０７    画像表示ＯＮ／ＯＦＦスイッチ
１１２    発光量制御手段
１１３  １１３Ａ  ＬＥＤ駆動回路
１１４ｒ  １１４ｇ  １１４ｂ  発光ダイオード
１１４ａ  １１４ｂ  １１４ｃ  １１４ｄ  発光ダイオード
１４０    画像処理回路
１４１    色温度測定回路
【図１】
0004500229.tif 000002
【図２】
0004500229.tif 000003
【図３】
0004500229.tif 000004
【図４】
0004500229.tif 000005
【図５】
0004500229.tif 000006
【図６】
0004500229.tif 000007
【図７】
0004500229.tif 000008
【図８】
0004500229.tif 000009